(57)【要約】【課題】  不正やアクシデントで可変入賞装置が開放するのを防止する。【解決手段】  ソレノイド１０に通電されておらず開閉部材４は起立位置になっているときは、クランク８の先端部が下降変位して、押下突起８５が開閉部材４の駆動軸４４間に割り込んでいて、駆動軸４４は側面部８８に接触している。開閉部材４の重心が回動支持軸６５よりも倒伏位置側にあるので、回動支持軸６５を中心とする回転モーメントにより駆動軸４４が側面部８８を押圧している。側面部８８が回転モーメントによる開閉部材４の倒伏位置側への変位を阻止する。開閉部材４に外力を及ぼしても倒伏位置に変位させられない。不正やアクシデントによって開放するのを確実に防止できる。【選択図】  図９
2007061390.tif 000002
【特許請求の範囲】
【請求項１】
遊技盤面に固定される台板に交差する回動の軸心を中心にして、入賞口を狭める起立位置と入賞口を広げる倒伏位置とに回動変位する一対の開閉部材であり、それぞれが前記回動の軸心を外れた位置に設けられた駆動突起を備える開閉部材と、
プランジャ式のソレノイドと、
前記プランジャに後端部を連結され、前記ソレノイドによって駆動されて先端部を昇降変位し、前記ソレノイドが励磁されると前記駆動突起を介して前記開閉部材に作用して該開閉部材を前記倒伏位置にさせるクランクと
を備える可変入賞装置において、
前記開閉部材が前記起立位置から前記倒伏位置へと変位し始める際の前記駆動突起の軌道は、双方の前記駆動突起同士の距離を縮小する方向であり、
前記クランクには、
前記下降変位するときに前記駆動突起を押し下げ、前記開閉部材が前記起立位置に達すると前記駆動突起が側方に外れる底面部と、
前記開閉部材が前記起立位置に達して前記底面部から外れた前記駆動突起に接触して、前記距離を縮小する方向への前記駆動突起の移動を阻む側面部と
を設けた
ことを特徴とする可変入賞装置。
【請求項２】
請求項１記載の可変入賞装置において、
前記クランクには、前記底面部と対面状に配されて、前記クランクが上昇変位するときに前記駆動突起を押し上げる押上部が設けられている
ことを特徴とする可変入賞装置。
【発明の詳細な説明】
【技術分野】
【０００１】
本発明は、弾球遊技機の可変入賞装置の技術分野に属する。
【背景技術】
【０００２】
パチンコ機等の弾球遊技機にはいわゆる電動式チューリップ、すなわち一対の開閉部材を起立させた閉鎖状態と開閉部材を左右に倒した開放状態とに可変の可変入賞装置が使用されることが多い。
【０００３】
例えば第１種パチンコ機では、大当たりを行うか否かの抽選のための始動口に使用している。また、一般電動役物型パチンコ機（普通電動役物型パチンコ機）では、ほとんどの可変入賞装置をチューリップ式にしていることが多い。
【０００４】
この電動式チューリップに関しては、弾球遊技機に挿入したピアノ線を用いて開閉部材を無理矢理開放させておいて遊技球を発射して、これに入球させるといった不正行為が行われることがある。
【０００５】
また、稀なことではあるが、遊技球がぶつかった衝撃で開閉部材が少し開放し、その瞬間に別の遊技球が入球してしまうことがある。
そう頻繁に起こる現象ではないし、第１種パチンコ機の場合には、払出される賞球数も少なく、その入った遊技球により大当たりが発生する可能性も低いため、ほとんど問題にはならない。しかし、一般電役型パチンコ機のように、変動入球口に遊技球が入球することで別の変動入球口がほとんどの確率で開放される連動式の構成であると、その稀に入った遊技球をきっかけにして多くの賞球が排出されることになるから大きな問題になる。
【０００６】
なお、アタッカー式の可変入賞装置でもピアノ線による同様の不正行為が行われることがあるが、こちらは構造的にチューリップ式よりも開放させにくい。また、アタッカー式は大当たり時に開放される大入賞口に使用されるのがほとんどで、連動式ではないため、不正な開放によって多くの賞球を得るためには長い間開放させておく必要があり、発見されやすい面がある。
【０００７】
一方、一般電動役物型パチンコ機の場合、連動する可変入賞装置の中で一番初めに開放する可変入賞装置を不正に少しの間開放させるだけで多くの賞球が得られてしまう。
当然、不正を行う者は、不正に開放させる時間が少ない方が発見され難いので、一般電動役物型パチンコ機での不正を望む。
【０００８】
なお、チューリップ式よりもアタッカー式の方が、ピアノ線による不正をし難いので、一般電動役物型パチンコ機の全ての可変入賞装置をアタッカー式にすればよいのだが、アタッカー式であると設置面積が大くなるので、そういうわけにはいかない。
【０００９】
こうした事情から、ピアノ線による不正な開放を防ぐための工夫もなされており、例えば特開２００１−３１４５７９号公報（特許文献１）に開示された技術がある。
特許文献１の可変入賞装置は、開閉部材を開閉させるためのクランク部材と駆動源となるソレノイドのプランジャとの間にソレノイドクランクを介在させて、ソレノイドが励磁しソレノイドクランクが所定の長さ後退するまではクランク部材に駆動力が伝わらない構造にし、また、ソレノイドが消磁されているときはクランク部材の上側に位置してその上向回動を阻止し、ソレノイドが励磁されてソレノイドクランクが所定の長さ後退するまでの間に前記阻止を解除する抑え片を設けて、ピアノ線による不正な開放に対する耐性を高めている。
【特許文献１】特開２００１−３１４５７９号公報
【発明の開示】
【発明が解決しようとする課題】
【００１０】
しかしながら、特許文献１の可変入賞装置は、ソレノイドクランク及び抑え片を必須にしているので、構造が複雑化し、部品点数が多く、結果的に可変入賞装置が大型化するという欠点がある。
【課題を解決するための手段】
【００１１】
請求項１記載の可変入賞装置は、
遊技盤面に固定される台板に交差する回動の軸心を中心にして、入賞口を狭める起立位置と入賞口を広げる倒伏位置とに回動変位する一対の開閉部材であり、それぞれが前記回動の軸心を外れた位置に設けられた駆動突起を備える開閉部材と、
プランジャ式のソレノイドと、
前記プランジャに後端部を連結され、前記ソレノイドによって駆動されて先端部を昇降変位し、前記ソレノイドが励磁されると前記駆動突起を介して前記開閉部材に作用して該開閉部材を前記倒伏位置にさせるクランクと
を備える可変入賞装置において、
前記開閉部材が前記起立位置から前記倒伏位置へと変位し始める際の前記駆動突起の軌道は、双方の前記駆動突起同士の距離を縮小する方向であり、
前記クランクには、
前記下降変位するときに前記駆動突起を押し下げ、前記開閉部材が前記起立位置に達すると前記駆動突起が側方に外れる底面部と、
前記開閉部材が前記起立位置に達して前記底面部から外れた前記駆動突起に接触して、前記距離を縮小する方向への前記駆動突起の移動を阻む側面部と
を設けた
ことを特徴とする。
【００１２】
この可変入賞装置に備えられた一対の開閉部材は、遊技盤面に固定される台板に交差する回動の軸心を中心にして、入賞口を狭める起立位置と入賞口を広げる倒伏位置とに回動変位する。入賞口を狭めたときには、開閉部材間に遊技球の直径を上回る間隔があって入賞可能でもよいし、入賞不可能でもよい。また開閉部材は、それぞれ回動の軸心を外れた位置に設けられた駆動突起を備えている。
【００１３】
回動の軸心となる軸部材は台板に立設されてもよいし、開閉部材に設けられてもよいし、台板とこれに対面配置された部材との間に掛け渡されてもよい。この軸部材は、固定されていてもよいし、回転してもよい。回動の軸心は台板すなわち遊技盤面に交差するのであるが、可変入賞装置を遊技盤に取り付けた状態で遊技盤面に垂直となるように設計されるのが普通である。
【００１４】
ソレノイドは、プランジャの軸を台板すなわち遊技盤面に直交させる姿勢（前後方向横置き）で配されてもよいし、この軸が台板すなわち遊技盤面に平行になる姿勢で配されてもよい。なお、本発明には前後方向横置きが適している。
【００１５】
クランクは、プランジャに後端部を連結される。クランクとプランジャとの間に連結用の部品を介在させてもよいが、いわゆる直結の方が部品点数を少なくできる。
クランクは、ソレノイドによって駆動されて先端部を昇降変位し、ソレノイドが励磁されると駆動突起を介して開閉部材に作用して開閉部材を倒伏位置にさせる。
【００１６】
ソレノイドの励磁、消磁とクランクの先端部の昇降方向との関係は限定されないが、ソレノイドを励磁したときにクランクの先端部が上昇変位する構成が望ましい。
開閉部材が回動の軸を中心にして起立位置と倒伏位置とに回動変位するので、回動の軸心を外れて各開閉部材に設けられた駆動突起の軌道は、回動の軸を中心にした円弧になるが、本発明では、開閉部材が起立位置から倒伏位置へと変位し始める際の駆動突起の軌道は、双方の駆動突起同士の距離を縮小する方向になる。具体的には、開閉部材が起立位置にあるときには、駆動突起は回動の軸よりも下方に位置する。
【００１７】
一方、クランクには、底面部と側面部とが設けられている。
底面部は、先端部が下降変位するときには駆動突起を押し下げて、開閉部材を起立位置へと変位させるが、開閉部材が起立位置に達すると駆動突起が底面部から側方に外れる。
【００１８】
側面部は、開閉部材が起立位置に達して底面部から外れた駆動突起に接触して、つまり一対の駆動突起間に割り込んだ状態になって、距離を縮小する方向への駆動突起の移動すなわち開閉部材が起立位置から倒伏位置へと変位するのを阻む。
【００１９】
クランクの側面部が駆動突起間に割り込んで開閉部材が起立位置から倒伏位置へと変位するのを阻むから、開閉部材に例えば遊技球の衝突やピアノ線等による外力が及ぼされても、開閉部材は起立位置から倒伏位置への変位を開始しない。
【００２０】
このように、簡単な構成でありながら、不正やアクシデントによって、本来、開放してはならない時に可変入賞装置が開放してしまうという事態を確実に防止できる。
なお、クランクは、先端部が下降変位するときには底面部で駆動突起を押し下げ、その後は側面部を駆動突起間に割り込ませるだけで、駆動突起（開閉部材）を拘束してはいない。従って、クランクの先端部が上昇変位して側面部が駆動突起間から外れれば、開閉部材は起立位置から倒伏位置へと変位可能になる。
【００２１】
また、開閉部材が起立位置から倒伏位置へと変位する際の駆動突起の移動は底面部の上昇に追随したものになるから、開閉部材の重心位置を倒伏位置側に偏らせておけば、底面部の上昇に追随して開閉部材が起立位置から倒伏位置へと変位する。
【００２２】
但し、開閉部材の重心位置をこのように偏らせるには、開閉部材の形状をデフォルメしたり、おもりを取り付けたりすることが必要になる。つまり、デザインや構造面での制約が増える。
【００２３】
このような制約は、請求項２記載の構成、すなわち、請求項１記載の可変入賞装置において、前記クランクには、前記底面部と対面状に配されて、前記クランクが上昇変位するときに前記駆動突起を押し上げる押上部が設けられている構成を採用すれば解消される。
【００２４】
また、請求項２の構成にすれば、例えば回動の軸部材と軸受穴との間にゴミなどが入って開閉部材がスムーズに回動しないときにでも、開放部材を開放させるときには確実に開閉部材を開放させることができる。
【発明を実施するための最良の形態】
【００２５】
次に、本発明の実施例等により発明の実施の形態を説明する。なお、本発明は下記の実施例等に限定されるものではなく、本発明の要旨を逸脱しない範囲でさまざまに実施できることは言うまでもない。
［実施例１］
図１及び図２に示すように、可変入賞装置１は、台板部材２、一対の開閉部材４、前飾り６、クランク８、ソレノイド１０等にて構成されている。
【００２６】
図３に示すように、台板部材２は、遊技盤面に固定される台板２１を備えている。台板２１には遊技盤取付用のビス穴２２ａ、円弧状のスライド軸穴２３、軸受け穴２６、前飾り６用のビス穴２２ｂ、前飾り６用の嵌着穴２７等が設けられている。また、前面には柱体２８が立設され、背面には位置決め用の突起２９が立設されている。
【００２７】
台板２１の背面には球樋２５が立設され、球樋２５の上端部にはセンサ筒２４が連接されている。そして、球樋２５及びセンサ筒２４の前端は連通状に開口している。また、センサ筒２４の上面にはストッパ３６が連接されている。
【００２８】
センサ筒２４の後端部からはセンサフック３０が延出されており、図１、図２に示すとおり、センサ筒２４に挿通させた球検出センサ３１の後端をセンサフック３０にて係止することで球検出センサ３１が取り付けられる。
【００２９】
球樋２５及びセンサ筒２４の上方には、クランク支持部３２が設けられている。クランク支持部３２は、図３（ａ）に示されるとおりコの字状をしており、左右側部にはクランク８用の軸受穴３３が設けられている。また、上部にはソレノイド取付金具３４（図１、図２参照）のための位置決め突起３５が設けられている。
【００３０】
図４に示すように、開閉部材４はイチョウの葉のような略扇形状で、隅部分に軸穴４１が設けられている。また、背面側では、隅部分から支持片４３が延出され、その支持片４３には軸穴４１と平行に駆動軸４４（駆動突起に該当）が立設されている。
【００３１】
図１、図２に示すように可変入賞装置１を組み立てた状態では、駆動軸４４は台板２１のスライド軸穴２３を貫通して、台板２１の背後に突出している。
図１、図２に示すように、開閉部材４の向かい合う端４５の間が入賞口となるが、開閉部材４が図１に示す起立位置になっているときは端４５同士の間隔は遊技球の直径よりも小さくて入賞不可能である。一方、開閉部材４が図２に示す倒伏位置になっているときは端４５同士の間隔は遊技球の直径を大幅に上回り（本実施例では約４９ｍｍ）、入賞が容易である。
【００３２】
図５に示すように、前飾り６は装飾板６１を備えており、使用時には装飾板６１が遊技者に対面する。
装飾板６１の背面下部には、装飾板６１の外周に沿ってスペーサ６２が設けられており、スペーサ６２の最下部には、球樋中継部６３が膨出状に形成されている。スペーサ６２の後端面には位置決め用の突起６４が立設されている。
【００３３】
また、スペーサ６２の上方にては、一対の回動支持軸６５が平行状に装飾板６１の背面に立設されている。これら回動支持軸６５の軸心が開閉部材４の回動の軸心となる。
前飾り６は、図１、図２に示すように、回動支持軸６５を開閉部材４の軸穴４１に貫通させ、スペーサ６２の後端面を台板２１の前面に接触させて、台板２１に取り付けられている。この状態では、回動支持軸６５の先端は軸受け穴２６に嵌合し、突起６４は嵌着穴２７に嵌合しており、また図示しないビスが台板２１の背面側からビス穴２２ｂを貫通してスペーサ６２の後端部に螺着している。
【００３４】
図６に示すように、クランク８は対面状に配された一対の腕部８１を備えており、各腕部８１からは相手方に向かって連結ピン８２が延出されている。また、角部には連結ピン８２と平行状にクランク軸８３が立設されている。
【００３５】
クランク８の前板部８４からは、押下突起８５と一対の押上爪８６（押上部に該当）が突出している。クランク軸８３を中心にした場合、押下突起８５の突出方向は、連結ピン８２とクランク軸８３の中心同士を結ぶ直線に対してほぼ垂直であるが、鋭角や鈍角であってもよい。
【００３６】
押下突起８５は略直方体状であり、押上爪８６に面した底面部８７と底面部８７の左右の側面部８８とを備えている。
押上爪８６は楔状であり、押下突起８５の底面部８７との間隔は先端側で広がっている。押上爪８６は左右に分かれているが、一連にしてもよい。
【００３７】
クランク８は、図１、図２に示すように、軸受穴３３にクランク軸８３を挿通させてクランク支持部３２に取り付けられる。また、図７〜９等に示すように、連結ピン８２をソレノイド１０のプランジャ１１に取り付けられたフランジ１２ａ、１２ｂ間に挿入することで、プランジャ１１に連結されている。
【００３８】
ソレノイド１０は、通電されていないときはフランジ１２ｂと本体の間に配されているリターンスプリング１３の作用によってプランジャ１１を突き出し（前進）、通電されるとプランジャ１１を引き込む（後退）構成である。
【００３９】
次に、図７〜９を参照して可変入賞装置１の開閉動作を説明する。
ソレノイド１０に通電されていないときは、図７〜９の（ａ）に示すとおり、プランジャ１１が突き出されていて（前進）、クランク８は先端部を下降変位させた状態にあり、押下突起８５が開閉部材４の駆動軸４４間に割り込んでいて、駆動軸４４は側面部８８に接触している。
【００４０】
開閉部材４は起立位置になっているが、重心が軸穴４１（回動支持軸６５）よりも外側（倒伏位置側）にあるので、回動支持軸６５を中心とする回転モーメントにより駆動軸４４が側面部８８を押圧している。
【００４１】
ソレノイド１０に通電されてプランジャ１１が引き込まれると（後退）、クランク８の先端部が上昇変位する。
クランク８の先端部がわずかに上昇変位したところで押下突起８５が駆動軸４４間から上向きに退去する。すると、上記の回転モーメントによる開閉部材４の変位が可能になるので、開閉部材４は起立位置から倒伏位置側に変位し駆動軸４４が底面部８７の下側に入り込む。
【００４２】
クランク８の先端部が更に上昇変位する過程では、図７〜９の（ｂ）に示すように、押上爪８６が駆動軸４４を押し上げて、開閉部材４を倒伏位置側へ変位させる。
このように開閉部材４が変位する際には、駆動軸４４は回動支持軸６５を中心とする円弧に沿って移動するが、その軌道は台板２１のスライド軸穴２３によって規定される。駆動軸４４がスライド軸穴２３の上端に達すれば、開閉部材４は図２に示される倒伏位置になり、この変位は停止する。そして、ソレノイド１０に通電されている間は倒伏位置が維持される。
【００４３】
スライド軸穴２３の上端は、プランジャ１１が後退限度まで後退したときの駆動軸４４の位置に合せてあるので、仮にスライド軸穴２３がもっと上方に延びていて余裕があったとしてもクランク８の先端は上方に変位しないから、駆動軸４４は底面部８７に当接して、それよりも上方に移動せずにその位置で停止する。従って、開放部材４はこれ以上は開かない。なお、スライド軸穴２３には上記のような余裕を持たせておく方が好適である。
【００４４】
開閉部材４が倒伏位置にあるときにソレノイド１０の通電が絶たれると、プランジャ１１が前進してクランク８の先端部が下降変位する。
すると、押下突起８５が底面部８７で駆動軸４４を押し下げて開閉部材４を倒伏位置から起立位置へと変位させる。
【００４５】
今度は、駆動軸４４がスライド軸穴２３の上端から下端へと移動するが、左右の駆動軸４４が共にスライド軸穴２３の下端に達したときの駆動軸４４同士の間隔は押下突起８５の側面部８８間の距離をわずかに上回る。従って、駆動軸４４がスライド軸穴２３の下端に達すると、駆動軸４４は底面部８７から側方に、つまり側面部８８側に外れる。
【００４６】
駆動軸４４がスライド軸穴２３の下端に達すると開閉部材４は図１に示される起立位置になり、押下突起８５がストッパ３６に当接するので変位は停止する。そして、図７〜９の（ａ）に示すとおり、押下突起８５が開閉部材４の駆動軸４４間に割り込んでいて、駆動軸４４は側面部８８に接触する。
【００４７】
スライド軸穴２３の下端は、プランジャ１１が前進限度まで前進したときの駆動軸４４の位置に合せてあるので、仮にスライド軸穴２３の下端がもっと延びていて余裕があったとしてもクランク８の先端はさらに下方へは変位しない。従って、駆動軸４４が側面部８８から外れることはなく、開放部材４はこれ以上は閉じないし開きもしない。なお、スライド軸穴２３には、上記のような余裕を持たせておく方が好適である。
【００４８】
従って、上記の回転モーメントによる開閉部材４の変位、すなわち開閉部材４を倒伏位置に変位させるのは不可能になっている。勿論、開閉部材４に外力を及ぼしても倒伏位置に変位させられない。
【００４９】
このように、クランク８の側面部８８が駆動軸４４間に割り込んで開閉部材４が起立位置から倒伏位置へと変位するのを阻むから、開閉部材４に例えば遊技球の衝突やピアノ線等による外力が及ぼされても、開閉部材４は起立位置から倒伏位置への変位を開始しない。
【００５０】
なお２つの押上爪８６の間隔はストッパ３６の幅を上回っており、上述したクランク８の昇降変位時に押上爪８６がストッパ３６に接触することはない。
また、押上爪８６の間隔は、開閉部材４が倒伏位置にあるときの駆動軸４４同士の間隔、つまり駆動軸４４の最小間隔よりも狭くなっている。
【００５１】
以上の通り、本実施例の可変入賞装置１は、簡単な構成でありながら、不正やアクシデントによって、本来、開放してはならない時に開放してしまうという事態を確実に防止できる。
［使用例］
実施例１の可変入賞装置１の具体的な使用例を示す。
【００５２】
図１０に示すように、可変入賞装置１を用いたパチンコ機（全体の図示と説明は省略）の遊技盤１００にはガイドレール１０２ａ、１０２ｂなどで囲まれた略円形の遊技領域１０３が形成されている。
【００５３】
遊技領域１０３の中央部にはセンターケース１０４が装着され、センターケース１０４には演出図柄表示装置１０５が組み付けられている。
センターケース１０４の向かって左横には、実施例１の可変入賞装置１が第１可変入賞口１１０として配されている。
【００５４】
センターケース１０４の下方には始動領域となるゲート１１５が配置され、その下方には、実施例１の可変入賞装置１が第２可変入賞口１２０として配されている。
また、第２可変入賞口１２０の下方には、アタッカー式の第３可変入賞口１３０が配置されている。
【００５５】
なお、遊技盤１００には、普通入賞口１１３、アウト穴１３２、多数の遊技釘、ランプ風車、板金風車などが設置されているが、これらは周知であるので図示するのみで説明を省略する。
【００５６】
このパチンコ機では、遊技球がゲート１１５を通過すると、第１普通図柄表示器１０７にて第１普通図柄の変動表示が行われる。そして、当たり第１図柄が確定表示されると第１可変入賞口１１０が開放する。なお、第１可変入賞口１１０は、ここに６球が入賞すれば閉鎖され、入賞数が６球未満でも開放時間が５．８秒に達すると閉鎖される。第１可変入賞口１１０の入賞球は４個まで保留記憶される。
【００５７】
第１可変入賞口１１０が閉鎖して、第１可変入賞口１１０の保留記憶があれば、この保留記憶の１つに対して抽選を行い、この保留記憶を消去し、第２普通図柄にて抽選結果を表示する。そして、当たりの第２図柄が確定表示されると第２可変入賞口１２０を開放する。なお、ここでの抽選はほとんどが当たりになる。
【００５８】
第２可変入賞口１２０は、ここに６球が入賞すれば閉鎖され、入賞数が６球未満でも開放時間が５．８秒に達すると閉鎖される。第２可変入賞口１２０の入賞球も４個まで保留記憶される。
【００５９】
第２可変入賞口１２０が閉鎖して、第２可変入賞口１２０の保留記憶があれば、この保留記憶の１つに対して抽選を行い、この保留記憶を消去し、第３普通図柄にて抽選結果を表示する。そして、当たりの第３図柄が確定表示されると第３可変入賞口１３０を開放する。なお、ここでの抽選もほとんどが当たりになる。
【００６０】
第３可変入賞口１３０は、ここに６球が入賞すれば閉鎖され、入賞数が６球未満でも開放時間が５．８秒に達すると閉鎖される。第３可変入賞口１３０が閉鎖されても、第２可変入賞口１２０の保留記憶がなくなるまでは、上記の抽選と第３普通図柄の表示が行われて第３可変入賞口１３０の開放が繰り返される。
【００６１】
第２可変入賞口１２０の保留記憶がなくなったときに、第１可変入賞口１１０の保留記憶があれば再び第２可変入賞口１２０が開放されて、上記の手順が繰り返される。この手順は、第１可変入賞口１１０の保留記憶がなくなるまで繰り返される。
【００６２】
このように、第１可変入賞口１１０が開放すると、第２可変入賞口１２０及び第３可変入賞口１３０が連動的に開放する（大当たり状態になる）ので、例えばピアノ線などを用いて不正に第１可変入賞口１１０（又は第２可変入賞口１２０）を開放して入賞させれば、大量の賞球を不正に獲得できる。
【００６３】
しかし、実施例１の可変入賞装置１は、上述したとおり、不正な操作では開放しないから、かかる不正行為を確実に防止できる。
［実施例２］
実施例１ではクランク８の先端部に押上爪８６を設けて、これによって駆動軸４４を押し上げて開閉部材４を倒伏位置側へ変位させる構成を採用しているが、
開閉部材４の重心が軸穴４１（回動支持軸６５）よりも外側（倒伏位置側）にあるので、回動支持軸６５を中心とする回転モーメントにより開閉部材４を倒伏位置側へ変位させる構成、すなわち押上爪８６を設けない構成も可能である。
【００６４】
その一例を実施例２として説明する。なお、ほとんどの部分が実施例１と共通であるから、それらは実施例１と同符号を使用して説明を省略する。
図１１に示すように、本実施例で採用したクランク８ａは、腕部８１、連結ピン８２、クランク軸８３及び押下突起８５を備えるが、実施例１の押上爪８６に相当する部材は存在しない。
【００６５】
このクランク８ａを組み込んだ可変入賞装置１ａの構成は図１２及び図１３に示すとおりである。
この可変入賞装置１ａの開閉動作の内、ソレノイド１０に通電されていない状態のときは、図１４〜１６の（ａ）に示すとおりで、実施例１と同様に、プランジャ１１が突き出されていて（前進）、クランク８ａは先端部を下降変位させた状態にあり、押下突起８５が開閉部材４の駆動軸４４間に割り込んでいて、駆動軸４４は側面部８８に接触している。
【００６６】
開閉部材４は起立位置になっているが、重心が軸穴４１（回動支持軸６５）よりも外側（倒伏位置側）にあるので、回動支持軸６５を中心とする回転モーメントにより駆動軸４４が側面部８８を押圧している。
【００６７】
ソレノイド１０に通電されてプランジャ１１が引き込まれると（後退）、クランク８ａの先端部が上昇変位する。
クランク８ａの先端部がわずかに上昇変位したところで押下突起８５が駆動軸４４間から上向きに退去する。すると、上述の回転モーメントによる開閉部材４の変位が可能になるので、開閉部材４は起立位置から倒伏位置側に変位し駆動軸４４が底面部８７の下側に入り込む。
【００６８】
そして、クランク８ａの先端部が更に上昇変位する過程では、上述の回転モーメントにより、クランク８ａの変位に追随して開閉部材４が倒伏位置側に変位する。
このとき駆動軸４４が回動支持軸６５を中心とする円弧に沿って移動し、その軌道が台板２１のスライド軸穴２３によって規定されるのは実施例１と同じである。
【００６９】
駆動軸４４がスライド軸穴２３の上端に達すれば、開閉部材４は図１３に示される倒伏位置になり、この変位は停止する（図１４〜１６の（ｂ）参照）。そして、ソレノイド１０に通電されている間は倒伏位置が維持される。
【００７０】
開閉部材４が倒伏位置にあるときにソレノイド１０の通電が絶たれると、プランジャ１１が前進してクランク８ａの先端部が下降変位するので、実施例１と同様に、押下突起８５が底面部８７で駆動軸４４を押し下げて開閉部材４を倒伏位置から起立位置へと変位させる。
【００７１】
そして、左右の駆動軸４４が共にスライド軸穴２３の下端に達すると、駆動軸４４は底面部８７から側方に、つまり側面部８８側に外れる。
駆動軸４４がスライド軸穴２３の下端に達すると開閉部材４は図１２に示される起立位置になり、押下突起８５がストッパ３６に当接するので変位は停止する。そして、図１４〜１６の（ａ）に示すとおり、押下突起８５が開閉部材４の駆動軸４４間に割り込んでいて、駆動軸４４は側面部８８に接触する。
【００７２】
従って、上記の回転モーメントによる開閉部材４の変位、すなわち開閉部材４を倒伏位置に変位させるのは不可能になっている。勿論、開閉部材４に外力を及ぼしても倒伏位置に変位させられない。
【００７３】
このように、クランク８ａの側面部８８が駆動軸４４間に割り込んで開閉部材４が起立位置から倒伏位置へと変位するのを阻むから、開閉部材４に例えば遊技球の衝突やピアノ線等による外力が及ぼされても、開閉部材４は起立位置から倒伏位置への変位を開始しない。
【００７４】
このように、本実施例の可変入賞装置１ａは、簡単な構成でありながら、不正やアクシデントによって、本来、開放してはならない時に開放してしまうという事態を確実に防止できる。
【００７５】
また、この可変入賞装置１ａを上記の使用例と同様に用いることができ、使用例で説明したとおりの効果がある。
【図面の簡単な説明】
【００７６】
【図１】実施例１の可変入賞装置（閉鎖状態）の三面図。
【図２】実施例１の可変入賞装置（開放状態）の三面図。
【図３】台板部材の三面図（ａ〜ｃ）及び斜視図（ｄ）。
【図４】開閉部材の三面図（ａ〜ｃ）及び斜視図（ｄ）。
【図５】前飾りの三面図（ａ〜ｃ）及び斜視図（ｄ）。
【図６】クランクの三面図（ａ〜ｃ）及び斜視図（ｄ）。
【図７】実施例１の可変入賞装置の開閉動作を説明する上面斜視図。
【図８】実施例１の可変入賞装置の開閉動作を説明する底面斜視図。
【図９】実施例１の可変入賞装置の開閉動作を説明する側面図。
【図１０】使用例１の遊技盤の正面図。
【図１１】実施例２のクランクの平面図、正面図、下面図及び右側面図。
【図１２】実施例２の可変入賞装置（閉鎖状態）の三面図。
【図１３】実施例２の可変入賞装置（開放状態）の三面図。
【図１４】実施例２の可変入賞装置の開閉動作を説明する上面斜視図。
【図１５】実施例２の可変入賞装置の開閉動作を説明する底面斜視図。
【図１６】実施例２の可変入賞装置の開閉動作を説明する側面図。
【符号の説明】
【００７７】
１、１ａ・・・可変入賞装置、
２・・・台板部材、
４・・・開閉部材、
８、８ａ・・・クランク、
１０・・・ソレノイド、
１１・・・プランジャ、
２１・・・台板、
２３・・・スライド軸穴、
２６・・・軸受け穴、
３１・・・球検出センサ、
３３・・・軸受穴、
３６・・・ストッパ、
６５・・・回動支持軸、
８１・・・腕部、
８２・・・連結ピン、
８３・・・クランク軸、
８５・・・押下突起、
８６・・・押上爪、
８７・・・底面部、
８８・・・側面部。
【図１】
2007061390.tif 000003
【図２】
2007061390.tif 000004
【図３】
2007061390.tif 000005
【図４】
2007061390.tif 000006
【図５】
2007061390.tif 000007
【図６】
2007061390.tif 000008
【図７】
2007061390.tif 000009
【図８】
2007061390.tif 000010
【図９】
2007061390.tif 000011
【図１０】
2007061390.tif 000012
【図１１】
2007061390.tif 000013
【図１２】
2007061390.tif 000014
【図１３】
2007061390.tif 000015
【図１４】
2007061390.tif 000016
【図１５】
2007061390.tif 000017
【図１６】
2007061390.tif 000018